(57)【要約】【課題】薬液を長期間にわたり患者に投与するための埋め込みカテーテルに薬液を経皮的注入するための薬液注入用針のプロテクターＰおよび針ユニットＮに関し、使用済みの薬液注入用針にプロテクターを被せる際や、使用済みの薬液注入用針が装着されたプロテクター等を収納した廃棄資材による誤穿刺事故を防止する。【解決手段】カヌラ収容筒１の下端に取り付けられた支持材４によって支持面が形成されプロテクターＰを直立させた状態で針ハブ装着部２に薬液注入用針Ｎが装着された後、取外して転用されるこの支持材４によってカヌラ収容筒１のもう一端に形成されたカヌラ収容口１１の針ハブ装着部２に装着された針ハブ３本体を押さえてこれを確実に固定させる。【選択図】      図１
2004254938.tif 000002
【特許請求の範囲】
【請求項１】
翼付針ハブとそのハブの長手方向中央位置でハブの軸に対しほぼ直角方向に屈曲されたカヌラを備えた薬液注入用針のカヌラを収容して保持するための針ハブ装着部が一端に形成されたカヌラ収容口を有するカヌラ収容筒と、このカヌラ収容筒のもう一端の下端側に取り付けられてカヌラ収容筒を支持する支持部材とからなり、前記支持部材はカヌラ収容筒の下端に対し位置決め手段により取り付けられて前記カヌラ収容筒の下端に支持面を形成させることによってカヌラ収容筒を直立可能となされている薬液注入用針のプロテクター。
【請求項２】
前記支持部材がカヌラ収容口に保持手段によって取り付けられてカヌラ収容口に装着された針ハブが固定されるようになされている請求項１記載の薬液注入用針のプロテクター。
【請求項３】
カヌラ収容口の口端に直接に針ハブ装着部が形成された請求項１または２記載の薬液注入用針のプロテクター。
【請求項４】
針ハブ装着部が、内壁にハブ係合手段を備えた一対の円弧状部材からなり、その円弧状部材の間に針ハブが挟持されてなる請求項１〜３のいずれか一項記載の薬液注入用針のプロテクター。
【請求項５】
前記支持部材に前記円弧状部材を挟持する装着アームが設けられて支持部材が前記円弧状部材を挟持して取り付けられ、円弧状部材の根元に切欠き部が形成されるとともに、前記装着アームの先端には係止端部が形成されて、装着アームが前記円弧状部材を挟持する際に前記係止端部が円弧状部材の切欠き部に係止されることにより、前記支持部材がカヌラ収容筒の長さ方向への脱落が阻止されるよう固定されてなる請求項４記載の薬液注入用針のプロテクター。
【請求項６】
カヌラ収容口に鍔が設けられ、この鍔のすぐ下側に沿ったカヌラ収容筒の外側面に前記支持部材が支持部材に設けられたカヌラ収容筒を挟持する装着アームによって取り付けられることにより、前記支持部材がカヌラ収容筒の長さ方向に脱落が阻止されるように固定されてなる請求項２または３記載の薬液注入用針のプロテクター。
【発明の詳細な説明】
【０００１】
【発明の属する技術分野】
本発明は、薬液を長期間にわたって患者に投与するのに適した埋め込みカテーテル（リザーバに注入カテーテルを取り付けた埋め込みタイプのカテーテル）に薬液を経皮的注入するための、薬液注入用針のプロテクターおよび針ユニットに関する。
【０００２】
【従来の技術】
従来、患者に長期間にわたって薬液を投与する場合、所謂埋め込みカテーテル（リザーバに注入カテーテルを取り付け、皮下に埋め込むタイプのカテーテル）が採用されている。埋め込みカテーテルは、患者体内の適当な箇所の皮下に埋め込まれたリザーバと、注入薬液をこのリザーバの輸注箇所まで導入する注入カテーテルとからなり、リザーバには薬液注入用針のカヌラを穿刺することができてカヌラを抜き去ると密閉する所謂自己閉鎖性を有するゴム弾性材料製の隔膜が設けられている。そして埋め込みカテーテルにおいて、この隔膜は皮膚のすぐ下にくるようにかつ皮膚表面に対してほぼ平行状態に埋め込まれ、リザーバに薬液を注入する場合、薬液容器から可撓性のチューブにより接続された薬液注入用針のカヌラを、患者の皮膚とこの隔膜を貫通して穿刺されるようになっている。
【０００３】
埋め込みカテーテルに薬液を注入する薬液注入用針は、皮膚表面にほぼ平行な状態で前記リザーバの隔膜に穿刺し易いように、すなわちカヌラを皮膚に対して直角に穿刺できるように、薬液注入用針のハブの長手軸に対してほぼ９０度屈曲されている。本出願人は先に、従来の薬液注入用針のハブの固定位置とカヌラの穿刺位置のずれを無くして指で把持されたハブに加える力の軸とカヌラの軸とを一致させることにより、操作者の指先の動きの感覚を直接的に伝えられることで操作性が良く、かつプロテクターに針ハブを固定させたコンパクトな薬液注入用針のプロテクターを、小型で低コストながら、埋め込みカテーテルへの適用時や廃棄時に発生する針刺し事故を防止することのできるものとして提案した。
【０００４】
【特許文献１】
特開２００２−６５８４８号公報（第２〜３頁、第１図）
【０００５】
【発明が解決しようとする課題】
しかしながら、かかる埋め込みカテーテルに用いられた薬液注入用針を使用後プロテクターにセットする場合においてもなお薬液容器から接続されていた可撓性チューブはなおも針ユニットに接続されており、特開２００２−６５８４８号公報の薬液注入用針のプロテクターを採用することによって安全な操作が可能になったとはいえ、薬液注入用針のプロテクターのカヌラ収容口に薬液注入用針の針先を差し込むまでの手前の段階で、チューブに引っ張られて手許操作を誤ってプロテクターを持っていた指先を穿刺してしまうというおそれも皆無ではなく、またチューブを伴った針ユニットは廃棄処理材の中において束ねられたチューブが強く引っ張られて針先をカバーしたはずのプロテクターが強い力で抜き去られてしまってふたたび廃棄処理材の中から使用済の穿刺針が突き出し、廃棄処分のための輸送途上で穿刺事故を招くという危険も残されていた。
【０００６】
そこで、本発明においては、薬液投与後の使用済み埋め込みカテーテルに用いられた薬液注入用針にプロテクターを被せる際に、プロテクターを指で持つことなくテーブルなどの平坦な部分に安定して自立させた状態にして行って誤穿刺をなくし、さらに使用済み薬液注入用針が装着されたプロテクターなどを収納した廃棄資材から針ハブが簡単に抜けることもなく廃棄処理時の誤穿刺事故を未然に防止しようとするものである。
【０００７】
【課題を解決するための手段】
すなわち、上記課題を解決するため本発明薬液注入用針のプロテクターにおいては、翼付針ハブとそのハブの長手方向中央位置でハブの軸に対しほぼ直角方向に屈曲されたカヌラを備えた薬液注入用針のカヌラを収容して保持するための針ハブ装着部が一端に形成されたカヌラ収容口を有するカヌラ収容筒と、このカヌラ収容筒のもう一端の下端側に取り付けられてカヌラ収容筒を支持する支持部材とからなり、前記支持部材はカヌラ収容筒の下端に対し位置決め手段により取り付けられて前記カヌラ収容筒の下端に支持面を形成させることによってカヌラ収容筒を直立可能となされたものである。これによって、薬液注入用針にプロテクターを被せる際に、プロテクターを指で持つことなくテーブルなどの平坦な部分に安定して自立させた状態にして操作できることから、誤穿刺の危険がない。
【０００８】
また、本発明薬液注入用針のプロテクターにおいては、前記支持部材がカヌラ収容口に保持手段により取り付けられ、カヌラ収容口に装着された針ハブが固定されるようになされているものである。これによって、廃棄処理材の中におけるチューブを伴った針ユニットの束ねられたチューブが強く引っ張られたような際にもプロテクターに装着された針ハブは強固に固定されて廃棄資材から針ハブが簡単に抜けることもなく廃棄処理時の誤穿刺事故を未然に防ぐことができる。
そして、本発明においてはカヌラ収容口に装着された針ハブを強固に固定するための部品として、カヌラ収容筒に使用済み薬液注入用針が装着される際にこのカヌラ収容筒を安定して自立させるために用いられた支持部材が用済み後に転用されて用いられ、資材のムダのないように活用されている。
【０００９】
ここで、ハブ装着部は、カヌラ収容口の口端に直接形成されてもよく、カヌラ収容筒に一体的に設けることによって、この薬液注入用針のプロテクターはよりコンパクトとなって嵩張らないので好ましい。
また、針ハブ装着部としては、内壁にハブ係合手段を備えた一対の円弧状部材からなり、その円弧状部材の間に針ハブが挟持されるものなどが適用される。
【００１０】
そしてまた、本発明薬液注入用針のプロテクターにおいて、前記支持部材に前記円弧状部材を挟持する装着アームが設けられて支持部材が前記円弧状部材を挟持して取り付けられ、円弧状部材の根元に切欠き部が形成されるとともに、前記装着アームの先端には係止端部が形成されて、装着アームが前記円弧状部材を挟持する際に前記係止端部が円弧状部材の切欠き部に係止されることによって、前記支持部材がカヌラ収容筒の長さ方向への脱落が阻止されるもので、カヌラ収容筒に装着された針ハブが確実に固定されることから、使用済み薬液注入用針が装着されたプロテクターなどを収納した廃棄資材から針ハブが簡単に抜けることもなく廃棄処理時の誤穿刺事故を未然に防止できる。
【００１１】
あるいはまた、本発明薬液注入用針のプロテクターにおいて、カヌラ収容口に鍔が設けられ、この鍔のすぐ下側に沿ったカヌラ収容筒の外側面に前記支持部材が支持部材に設けられたカヌラ収容筒を挟持する装着アームによって取り付けられて前記支持部材がカヌラ収容筒の長さ方向に脱落が阻止されるように固定されてなるもので、カヌラ収容筒に装着された針ハブが確実に固定されることから、使用済み薬液注入用針が装着されたプロテクターなどを収納した廃棄資材から針ハブが簡単に抜けることもなく廃棄処理時の誤穿刺事故を未然に防止できる。
【００１２】
【発明の実施の形態】
以下、図面を参照しつつ本発明の実施形態例について詳述する。
図１、図２、図３は、本発明薬液注入用針のプロテクターの実施形態の一例について説明するための斜視図であり、図４は本発明薬液注入用針のプロテクターに用いられる支持部材の活用方法を説明するステップを表す正面、側面、上面の各図である。
【００１３】
本発明プロテクターは図１に表すように、翼３１付きの針ハブ３と、針ハブ３の長手方向中央付近でこの針ハブ３の軸に対しほぼ直角に屈曲されたカヌラ３２を含んだ薬液注入用針Ｎのカヌラ３２を収容するためのプロテクターＰであり、さらには、図３に表すようにこのプロテクターＰをテーブルなどの平坦な部分に自立させることで、安定した状態で使用できるようにするための支持部材４を伴ったものである。なお、針ハブ３本体のチューブ固定部３３には、薬液注入用針Ｎに薬液を供給するための薬液容器に接続された可撓性チューブ５が接続されており、この薬液注入用針Ｎの使用後にはチューブ５と薬液注入用針Ｎとは互いに接続されたままで廃棄処分がなされる。
【００１４】
プロテクターＰは、前記薬液注入用針Ｎのカヌラ３２を収容するための針ハブ装着部２が一端に形成されたカヌラ収容口１１を有するカヌラ収容筒１と、このカヌラ収容筒１のもう一端の下端側で、そこに取り付けられた支持部材４により支持面を規定するための、支持部材４用の位置決め手段が設けられている。
本実施形態の例において、カヌラ収容筒１の下端側に設けられた支持部材４の取り付け位置を規定する位置決め手段は、図２に表すように、カヌラ収容筒１の下端に形成された位置決め切欠き１２と支持部材４に形成された位置決め片４２とからなり、位置決め切欠き１２の幅および深さ各寸法を位置決め片４２に適合させるこで、この支持部材４によってカヌラ収容筒１の下端に支持面を形成させ得る位置に規定することが出来て、プロテクターＰが直立可能となされている。また、支持部材４にはカヌラ収容筒１の外側面を挟持するための装着アーム４１が設けられ、支持部材４がカヌラ収容筒１の外側面を挟持して取り付けられ固定がなされる。さらに、本実施形態の例において、前記装着アーム４１の先端には係止端部４１１が形成されており、対してこの装着アーム４１が挟持するカヌラ収容筒１の下端に形成された係止切欠部１３に前記装着アーム４１の先端の係止端部４１１が係止されることにより、支持部材４がプロテクターＰのカヌラ収容筒１により確実に固定されるようになされている。
【００１５】
そして、使用済み薬液注入用針Ｎの翼３１付きの針ハブ３は、前述したように支持部材４によって支えられて直立させられたプロテクターＰのカヌラ収容筒１のカヌラ収容口１１から、図３に表すように翼３１が折り畳まれて指先でつまむようにしてカヌラ収容筒１の内側に挿入される。
【００１６】
カヌラ収容筒１のカヌラ収容口１１には、前記翼３１付き針ハブ３が挿入され保持されるハブ装着部２が設けられている。本実施形態の例ではハブ装着部２はカヌラ収容口１１の口端に直接形成されており、ハブ装着部２がカヌラ収容筒１に一体的に設けられることによって、この薬液注入用針のプロテクターＰは嵩張らずコンパクトで好ましい。なお、本発明のプロテクターＰは、上述したようにテーブルなどに自立させた安定状態で用いられることから、ハブ装着部２に対し針ハブ３の係合力をより強力に設計できるという利点も有している。
【００１７】
針ハブ装着部２としては、それぞれ内壁にハブ係合手段を備えた一対の円弧状部材２１，２１からなり、それら円弧状部材２１，２１間に針ハブ３が挟持されている。針ハブ係合手段としては、図１の中央に示すような、一対の円弧状部材２１，２１の側壁の根元にそれぞれ形成された係止爪２２，２２等が採用され、これに対し針ハブ３に形成された係止片３２が係合されて針ハブ３が針ハブ装着部２に保持される。ここで、円弧状部材２１，２１の対向する係止爪２２，２２の最小幅部での間隔は、針ハブ３の係止片３４（左右）の間隔より小さくなされていることにより針ハブ３が針ハブ装着部２に保持されるようになっている。
なお、針ハブ３の係止片３４は、針ハブ装着部２に設けられたハブ係合手段に係止可能に、針ハブ３の外側面に形成されておればよい。
【００１８】
そこでまた、このプロテクターＰを直立させるために用いられた支持材４は、針ハブ装着部２に装着されて保持された翼３１付き針ハブ３をより確実に固定させるためにも用いられる。すなわち、図１に表される支持材４に形成された突出片４２（前出位置決め片）は、その幅寸法が前述した円弧状部材２１，２１の間の寸法よりも小さい幅で、かつ翼３１付き針ハブ３の翼３１，３１を折り畳んで図３のような状態にした際に形成される２つの翼３１，３１の内側の間隔よりもわずかに小さい寸法となされており、この突出片４２によって針ハブ３の本体が押さえられて固定がなされる。
また、支持部材４には装着アーム４１，４１が設けられて支持部材４が円弧状部材２１，２１を挟持するようにして取り付けられ、それら円弧状部材の根元には切欠き部２１１，２１１が形成されるとともに、前記装着アーム４１の先端に係止端部４１１，４１１が形成されており、装着アーム４１，４１が前記円弧状部材２１，２１を挟持する際に係止端部４１１，４１１が円弧状部材の切欠き部２１１，２１１に係止されることによって、前記支持部材４がカヌラ収容筒１の長さ方向への脱落が阻止されるように固定される。なお、本実施形態の例では、針ハブ３の係止片３４と係合される際用いられる円弧状部材２１の係止爪２２が形成されている切欠部２１１が、前記支持部材４の装着アーム４１の先端に形成された係止端部４１１が係止される切欠き部を兼ねて用いられている。
【００１９】
あるいはまた、支持部材４がカヌラ収容筒１の長さ方向への脱落が阻止されるように固定させる方法としては、その他にも例えば、カヌラ収容口１１に図１に表すような鍔１４が設けられ、この鍔１４のすぐ下側に沿ったカヌラ収容筒１の外側面に前記支持部材４が、支持部材４に設けられたカヌラ収容筒１を挟持する装着アーム４１により取り付けられるような構成となされていてもよい。
【００２０】
以上のようにして取り付けられた支持部材４は、プロテクターＰのカヌラ収容筒１の側面側から差し込むようにして取り付けられ、カヌラ収容筒１へと挿入される薬液注入用針Ｎの押し込み方向と直交する方向に取り付けられることでこのカヌラ収容筒１の長さ方向には移動し得ないことから、プロテクターＰの針ハブ装着部２において装着された薬液注入用針Ｎは、カヌラ収容筒１の長さ方向への脱落が阻止されるように固定される。
【００２１】
ここで、本発明薬液注入用針のプロテクターの使用方法について説明する。
すなわち、図４において、
ステップ１；プロテクターＰのカヌラ収容筒１の下端側に支持部材４がセットされてプロテクターＰが直立された状態で、薬液注入用針Ｎの針ハブ３の翼３１，３１が折り畳まれて指先でつまむようにしてカヌラ３２の先端側から、カヌラ収容口１１から挿入させてカヌラ収容筒１の内側へと押し込み、プロテクターＰの針ハブ装着部２において保持されて薬液注入用針Ｎは装着される。
ステップ２；プロテクターＰのカヌラ収容筒１の下端にセットされていた支持部材４を、図の真下方向に取り外す。
ステップ３；支持材４に形成された突出片４２によって、針ハブ３の本体を押さえるようにして、支持材４をステップ１でプロテクターＰの針ハブ装着部２に装着され保持されている薬液注入用針Ｎの上から固定する。
【００２２】
【発明の効果】
以上詳述した如く、本発明薬液注入用針のプロテクターにおいては、薬液注入用針にプロテクターを被せる際に、プロテクターを指で持つことなくテーブルなどの平坦な部分に安定して自立させた状態にして操作できることから、より強力な係合力として設計でき、しかも誤穿刺の危険がまったくなくて安全である。
また、本発明薬液注入用針のプロテクターにおいては、前記支持部材がカヌラ収容口に保持手段により取り付けられ、カヌラ収容口に装着された針ハブが固定されることから、廃棄処理材の中におけるチューブを伴った針ユニットの束ねられたチューブが強く引っ張られたような際にもプロテクターに装着された針ハブは強固に固定されて廃棄資材から針ハブが簡単に抜けることもなく廃棄処理時の誤穿刺事故を未然に防ぐことができる。
そして、本発明においてはカヌラ収容口に装着された針ハブをより強固に固定するための部品として、前記支持部材が用済み後に転用されて用いられており、資材のムダのない活用がなされる。
また、本発明薬液注入用針のプロテクターにおいて、ハブ装着部がカヌラ収容口の口端に直接形成されカヌラ収容筒に一体的に設けることによって、この薬液注入用針のプロテクターはよりコンパクトとなって嵩張らないので好ましい。
【００２３】
さらにまた、本発明薬液注入用針のプロテクターにおいて、前記支持部材に前記円弧状部材を挟持する装着アームが設けられて支持部材が前記円弧状部材を挟持して取り付けられ、円弧状部材の根元に切欠き部が形成されるとともに、前記装着アームの先端には係止端部が形成されて、装着アームが前記円弧状部材を挟持する際に前記係止端部が円弧状部材の切欠き部に係止され、あるいはまた、本発明薬液注入用針のプロテクターにおいて、カヌラ収容口に鍔が設けられ、この鍔のすぐ下側に沿ったカヌラ収容筒の外側面に前記支持部材が支持部材に設けられたカヌラ収容筒を挟持する装着アームによって取り付けられるなどして、前記支持部材がカヌラ収容筒の長さ方向に脱落が阻止されるように固定されるので、カヌラ収容筒に装着された針ハブが確実に固定されることから、使用済み薬液注入用針が装着されたプロテクターなどを収納した廃棄資材から針ハブが簡単に抜けることもなく廃棄処理時の誤穿刺事故を未然に防止できる。
【図面の簡単な説明】
【図１】本発明薬液注入用針のプロテクター実施形態の一例を表す斜視図である。
【図２】本発明薬液注入用針のプロテクター実施形態を説明する斜視図である。
【図３】本発明薬液注入用針のプロテクター実施形態を説明する斜視図である。
【図４】本発明薬液注入用針のプロテクターの使用状態を説明するための使用ステップを示す正面図、側面図、上面図である。
【符号の説明】
Ｐ  プロテクター
１  カヌラ収容筒
１１  カヌラ収容口
１２  位置決め切欠部
１３  係止切欠部
１４  鍔
２  針ハブ装着部
２１  円弧状部材
２１１  切欠部
２２  係止爪
Ｎ  薬液注入用針
３  針ハブ
３１  翼
３２  カヌラ
３３  チューブ固定部
３４  係止片
４  支持部材
４１  装着アーム
４１１  係止端部
４２  位置決め片
４３  支持片
５  チューブ
【図１】
2004254938.tif 000003
【図２】
2004254938.tif 000004
【図３】
2004254938.tif 000005
【図４】
2004254938.tif 000006